(57)【要約】      （修正有）【課題】シート体の先端部の巻き戻りを防ぐとともに、シート体の先端部を衛生的に保つことを可能とするシートロールの収納箱を提供する。【解決手段】シートロールの収納箱１は、上部に開口部１７を設けて横長な矩形状に形成された本体部１０と、蓋部２０とを備える。本体部の前壁１１における所定の高さ位置には、長さ方向に沿ってシート体よりも幅広なスリット１９が設けられ、スリットからは予めシート体の先端部が前壁の下端位置まで引き出されている。また本体部の下方にはシート体を切断するための切断刃３０が取付けられている。そして、蓋部の天板２１により本体部の開口部を覆い、蓋部の掩蓋部２２を本体部の前壁に重ね合わせ、更に、蓋部の切離片によりシート体の先端部及び切断刃を覆った状態で、切離片の端部を本体部の底壁１２に固着するようにした。【選択図】図１
0003233188.tif 000002
【実用新案登録請求の範囲】
【請求項１】
ラップフィルム等のシート体をロール状に巻回して成るシートロールを収納するための収納箱であって、
前記収納箱は、前壁と底壁と後壁と左右一対の側壁とを備え、かつ、上部に開口部を設けて横長な矩形状に形成された本体部と、
天板と掩蓋部と切離片とを備えた蓋部と、によって構成されており、
前記本体部の前壁における所定の高さ位置には、長さ方向に沿って前記シート体よりも幅広なスリットが設けられ、前記スリットからは予め前記シート体の先端部が前壁の下端位置まで引き出されているとともに、
前記本体部の下方には前記シート体を切断するための切断刃が取付けられており、
前記蓋部の天板は前記本体部の後壁に連設されて前記本体部の開口部を覆うとともに、
前記蓋部の掩蓋部は前記天板に連設されて前記本体部の前壁と重なり合い、
前記蓋部の切離片は一端が前記掩蓋部にミシン目を介して切り離し可能に連設され、かつ、前記シート体の先端部及び切断刃を覆った状態で他端が前記本体部の底壁に固着されている
ことを特徴とするシートロールの収納箱。
【請求項２】
前記ミシン目はスリットよりも下方に位置するように形成し、
前記ミシン目に沿って掩蓋部から切離片を切り離すことにより、前記シート体の先端部及び切断刃のみが露出するようにした
ことを特徴とする請求項１に記載のシートロールの収納箱。
【請求項３】
前記切断刃が紙製であることを特徴とする請求項１または２に記載のシートロールの収納箱。
【考案の詳細な説明】
【技術分野】
【０００１】
本考案は、樹脂製のラップフィルム、アルミホイル、クッキングシート等のシート体をロール状に巻回して成るシートロールを収納するための収納箱に関する。
【背景技術】
【０００２】
従来から、ラップフィルム等のシート体をロール状に巻回して成るシートロールを収納するための収納箱は、例えば、横長な矩形状の本体部と、蓋部とを備えて構成されている。前記本体部は、前壁と底壁と後壁と左右の側壁とを備え、かつ、上部に開口部が設けられており、また、前記蓋部は、前記本体部の後壁に連設されて前記本体部の開口部を覆う天板と、前記天板に連設されて前記本体部の前壁と重なり合う掩蓋部とを有している。なお、前記本体部もしくは蓋部の所定位置にはシート体を切断するための切断刃が設けられている。
【０００３】
そして、前記のように構成した収納箱に収納されているシートロールからシート体を引き出して使用する場合は、前記シート体の先端部を摘まんで開口部から必要な長さだけ引き出し、切断刃により切断すればよい。
【０００４】
然るに、このような場合、シート体の引き出し時にその都度開口部を開放する必要があるため面倒であった。
また、切断したシート体の先端部が巻き戻り、シートロールの表面に付着して引き出しに手間が掛かるという問題があった。
【０００５】
このため、例えば、特許文献１に示す収納箱においては、本体部の前壁の高さ方向中央に長さ方向に沿ってシート体よりも幅広なスリットを設け、このスリットから前記シート体を引き出すとともに、前記スリットと前壁の下端との間に長さ方向に沿って樹脂製テープを貼着し、この樹脂製テープに切断後の前記シート体の先端部を付着させることにより、前記シート体の先端部が巻き戻るのを防ぐようにしている。
【先行技術文献】
【特許文献】
【０００６】
【特許文献１】実用新案登録第３０２１７５６号公報
【考案の概要】
【考案が解決しようとする課題】
【０００７】
然るに、前記特許文献１に記載の収納箱においては、使用開始当初に蓋部の掩蓋部の下半分を切り離して本体部の前壁に設けたスリットを露出させ、この状態で使用者がシート体の先端部を前記スリットに通してから引き出す必要があるため面倒であった。
また、使用開始後の前記掩蓋部の下端部は前記スリットの近傍に位置しているため、前記スリットから引き出されているシート体の先端部は、前記スリットと前壁下端との間に貼着されている樹脂製テープに付着した状態で次回使用時まで露出したままとなり、この結果、前記シート体にはゴミや埃等が付着し易く、衛生上問題があった。
更に、前記スリットと前壁下端との間に、前記スリットから引き出されるシート体の先端部を付着させて巻き戻りを防ぐための樹脂製テープを貼着するようにしているので、部品点数や作業工数が増え、収納箱の製作コストが嵩むという問題もあった。
【０００８】
本考案は前記種々の問題点に鑑み、シート体の先端部の巻き戻りを防ぐとともに、シート体の先端部を衛生的に保つことが可能なシートロールの収納箱を提供することを目的とする。
【課題を解決するための手段】
【０００９】
前記の課題を解決するために、本考案に係るシートロールの収納箱は、前壁と底壁と後壁と左右一対の側壁とを備え、かつ、上部に開口部を設けて横長な矩形状に形成された本体部と、天板と掩蓋部と切離片とを備えた蓋部とによって構成し、前記本体部の前壁における所定の高さ位置には、長さ方向に沿って前記シート体よりも幅広なスリットが設けられ、前記スリットからは予め前記シート体の先端部が前壁の下端位置まで引き出されているとともに、前記本体部の下方には前記シート体を切断するための切断刃が取付けられており、前記蓋部の天板は前記本体部の後壁に連設されて前記本体部の開口部を覆うとともに、前記蓋部の掩蓋部は前記天板に連設されて前記本体部の前壁と重なり合い、前記蓋部の切離片は一端が前記掩蓋部にミシン目を介して切り離し可能に連設され、かつ、前記シート体の先端部及び切断刃を覆った状態で他端が前記本体部の底壁に固着されていることを特徴としている。
また、前記ミシン目はスリットよりも下方に位置するように形成し、前記ミシン目に沿って掩蓋部から切離片を切り離すことにより、前記シート体の先端部及び切断刃のみが露出するように構成するとよい。
更に、前記切断刃は紙製とするとよい。
【考案の効果】
【００１０】
本考案におけるシートロールの収納箱は、使用前（開封前）の状態においては、本体部上部の開口部が蓋部の天板により覆われており、また、本体部の前壁には蓋部の掩蓋部が重なり合って前記前壁に設けたスリットを塞いでいるので、前記開口部やスリットから本体部内にゴミや埃等が侵入するのを防いで衛生的に保つことができるとともに、前記本体部の前壁に設けたスリットから予め引き出されているシート体の先端部と、前記本体部の下方に取付けられている切断刃とが、蓋部の切離片により覆われているので、シート体の先端部にゴミや埃等が付着するのを防いで衛生的に保つことができるとともに、前記切断刃によって指等に怪我をするのを防ぐことができる。
また、蓋部の掩蓋部と切離片の一端との間に形成されるミシン目を、本体部の前壁に設けたスリットよりも下方に位置させ、前記ミシン目に沿って掩蓋部から切離片を切り離すことによりシート体の先端部及び切断刃を露出させるようにしたので、先端部が予め本体部の前壁に設けたスリットから引き出されているシート体を直ちに使用に供することができる。しかも、前記掩蓋部の下端から露出しているシート体の先端部は僅かであるため、次回使用時までの間に前記シート体の先端部にゴミや埃等が付着するのを防いで衛生的に保つことができる。その上、前記スリットは掩蓋部により塞がれた状態となっているので、前記スリットから本体部内にゴミや埃等が侵入するのを防ぐことができるとともに、切断後にシート体の先端部が巻き戻るのを防ぐことができる。
更に、前記切断刃を紙製とすることにより、シート体を使い終わった後は、前記切断刃を本体部から取外すことなく、収納箱をそのまま廃棄することが可能となり、分別の手間が省け利便である。
【図面の簡単な説明】
【００１１】
【図１】本考案に係る収納箱の一実施形態を示す斜視図である。
【図２】収納箱の展開図である。
【図３】（ａ）は収納箱の開封前の状態を示す斜視図、（ｂ）は同じく断面図である。
【図４】（ａ）は収納箱の開封途中の状態を示す斜視図、（ｂ）は同じく断面図である。
【図５】（ａ）は収納箱を開封した状態を示す斜視図、（ｂ）は同じく断面図である。
【図６】（ａ）は収納箱からシート体を引き出した状態を示す斜視図、（ｂ）は同じく断面図である。
【図７】（ａ）はシート体を切断する状態を示す斜視図、（ｂ）は同じく断面図である。
【図８】本考案に係る収納箱の他の実施形態を示す斜視図である。
【図９】収納箱の展開図である。
【図１０】（ａ）は収納箱の開封前の状態を示す断面図、（ｂ）は収納箱を開封した状態を示す断面図である。
【図１１】収納箱の要部を拡大して示す断面図である。
【考案を実施するための形態】
【００１２】
以下、本考案を実施するための形態について、図１ないし図１１を参照しながら具体的に説明する。
図１は本考案に係る収納箱の一実施形態を示す斜視図、図２は同じく展開図である。なお、図２において１点鎖線は折り目、破線はミシン目をそれぞれ示す。
図１において、１は本考案に係る収納箱であり、横長な矩形状の本体部１０と、蓋部２０とを備えて構成されている。
前記本体部１０は、いずれも横長な前壁１１，底壁１２，後壁１３と、前記底壁１２に連設された左右一対の側壁１４，１５とを備え、それぞれを図２に１点鎖線で示す折り目に沿って折り曲げるとともに、前記前壁１１及び後壁１３に連設された貼着片１６ａ，１６ｂを図２に１点鎖線で示す折り目に沿って折り曲げて前記側壁１４，１５に貼着することにより、前記前壁１１，後壁１３，及び側壁１４，１５が底壁１２に対して垂直に起立した状態とされ、かつ、上部に開口部１７を設けた状態で横長な矩形状に形成される。なお、１８は側壁１４，１５に連設された押圧片であり、図２に１点鎖線で示す折り目に沿って開口部１７側へ折り曲げることにより、ラップフィルム等のシート体Ｓを巻回して成るシートロールＲの飛び出しを阻止する。また、１９は前壁１１の高さ方向における所定位置に長さ方向に沿って形成したシート体Ｓの引き出し用スリットであり、前記シート体Ｓよりも幅広に形成されている。
【００１３】
一方、前記蓋部２０は、いずれも横長な天板２１と、掩蓋部２２と、切離片２３とを備える。前記天板２１は前記本体部１０の後壁１３に連設され、図２に１点鎖線で示す折り目に沿って折り曲げることにより、前記本体部１０上部の開口部１７を覆うことが可能となる。前記掩蓋部２２は前記天板２１に連設され、図２に１点鎖線で示す折り目に沿って折り曲げることにより、前記本体部１０の前壁１１と重なり合う状態となる。前記切離片２３は一端が前記掩蓋部２２に図２に破線で示すミシン目を介して切り離し可能に連設され、かつ、図２に１点鎖線で示す折り目に沿って折り曲げることにより、他端が前記本体部１０の底壁１２と対向した状態で、接着剤等により固着される。なお、前記ミシン目は本体部１０の前壁１１に設けたスリット１９よりも下方に位置するように形成されており、前記ミシン目において掩蓋部２２から切離片２３を切り離すことにより、前記掩蓋部２２の下方中央には膨出片２２ａが形成される。
【００１４】
なお、図１，２において、３０は前記本体部１０の前壁１１の下端側に、刃先を下方に向けた状態で取付けられた紙製の切断刃である。
【００１５】
図３は本考案に係る収納箱１の開封前の状態を示す斜視図及び断面図である。
図３に示すように、収納箱１の開封前の状態においては、本体部１０上部の開口部１７は前記本体部１０の後壁１３に連設された天板２１によって覆われており、また、前記本体部１０の前壁１１には前記天板２１に連設された掩蓋部２２が重なり合ってスリット１９を塞いでおり、更に、前記掩蓋部２２に連設された切離片２３は前記スリット１９から予め引き出されているシート体Ｓの先端部及び前記前壁１１の下端側に取付けられた切断刃３０を覆った状態で、前記本体部１０の底壁１２に接着剤等で固着されている。
これにより、前記開口部１７やスリット１９から本体部１０内にゴミや埃等が侵入するのを防ぐことができるとともに、前記本体部１０の前壁１１に設けたスリット１９から予め引き出されているシート体Ｓの先端部にゴミや埃等が付着するのを防ぐことができ、また、前記前壁１１の下端側に取付けられている切断刃３０によって指等に怪我をするのを防ぐことができる。
【００１６】
図４は本考案に係る収納箱１の開封途中の状態を示す斜視図及び断面図、図５は収納箱１を開封した状態を示す斜視図及び断面図である。
図４に示すように、収納箱１を開封する場合は、本体部１０の底壁１２に固着されている蓋部２０の切離片２３を剥がすとともに、図４に破線で示すミシン目に沿って掩蓋部２２から切り離す。
これにより、図５に示すように、前記本体部１０の前壁１１に設けられているスリット１９から予め引き出されているシート体Ｓの先端部、及び前記前壁１１の下端側に取付けられている切断刃３０が露出するとともに、前記掩蓋部２２の下部中央には膨出片２２ａが形成される。
この結果、前記シート体Ｓを本体部１０から引き出して使用することが可能となる。
【００１７】
図６は本考案に係る収納箱１からシート体Ｓを引き出した状態を示す斜視図及び断面図、図７はシート体Ｓを切断する状態を示す斜視図及び断面図である。
収納箱１に収納されているシートロールＲからシート体Ｓを引き出して使用する場合は、図６に示すように、本体部１０の前壁１１に設けられたスリット１９から予め引き出されているシート体Ｓの先端部を摘まんで必要な長さだけ引き出すとともに、蓋部２０の掩蓋部２２に形成された膨出片２２ａに指を添えて前記シート体Ｓを前記前壁１１側に押圧した状態で、図７に示すように、前記シート体Ｓを切断刃３０により切断すればよい。
この際、前記シート体Ｓは、本体部１０の前壁１１に設けられたスリット１９を通して引き出されているので、切断刃３０により切断した後に巻き戻るのを防ぐことができる。また、前記前壁１１と重なり合う掩蓋部２２の下端は、前記前壁１１に設けられたスリット１９よりも下方に位置しており、前記スリット１９は前記掩蓋部２２によって塞がれた状態であるため、前記スリット１９からゴミや埃等が本体部１０内に侵入するのを防ぐことができるとともに、切断後のシート体Ｓの先端部はほとんど露出しない結果、次回使用時までにゴミや埃等が付着するのを防いで衛生的に保つことができる。
【００１８】
以上説明したように、本考案に係る収納箱１は、使用前（開封前）の状態においては、本体部１０上部の開口部１７が蓋部２０の天板２１により覆われており、また、本体部１０の前壁１１には蓋部２０の掩蓋部２２が重なり合って前記前壁１１に設けたスリット１９を塞いでいるので、前記開口部１７やスリット１９から本体部１０内にゴミや埃等が侵入するのを防いで衛生的に保つことができるとともに、前記本体部１０の前壁１１に設けたスリット１９から予め引き出されているシート体Ｓの先端部と、前記前壁１１の下端側に刃先を下方に向けた状態で取付けられている切断刃３０とが、蓋部２０の切離片２３により覆われているので、シート体Ｓの先端部にゴミや埃等が付着するのを防いで衛生的に保つことができるとともに、前記切断刃３０によって指等に怪我をするのを防ぐことができる。
また、前記のようにシート体Ｓの先端部は予め本体部１０の前壁１１に設けたスリット１９から引き出されているので、蓋部２０の切離片２３を掩蓋部２２から切り離して前記シート体Ｓの先端部及び切断刃３０を露出させることにより、前記シート体Ｓを直ちに使用に供することができるとともに、前記シート体Ｓが切断刃３０により切断した後に巻き戻るのを防ぐことができる。
更に、前記切離片２３を切り離した掩蓋部２２の下端は、前壁１１に設けたスリット１９よりも下方に位置しているため、前記スリット１９から引き出されたシート体Ｓの先端部の露出は極めて限定的なものとなり、この結果、次回使用時までの間に前記シート体Ｓの先端部にゴミや埃等が付着するのを防いで衛生的に保つことができるとともに、前記スリット１９は掩蓋部２２により塞がれた状態となっているので、前記スリット１９から本体部１０内にゴミや埃等が侵入するのを防ぐことができる。
また、前記切断刃３０は紙製であるため、シート体Ｓを使い終わった後は、前記切断刃３０を本体部１０から取外すことなく、収納箱１をそのまま廃棄することが可能となり、分別の手間が省け利便である。
【００１９】
なお、本考案に係る収納箱１は前記の構造に限定されるものではなく、適宜変更可能である。
例えば、図８ないし図１０に示すように、蓋部２０の掩蓋部２２から図９に破線で示すミシン目に沿って切離片２３を切り離した際に、前記掩蓋部２２の下端部がフラットな形状となるようにしてもよい。この際、前記掩蓋部２２の下端位置は、図１０（ｂ）に示すように可能な限り本体部１０の前壁１１の下端に近接する位置となるようにするとよい。これにより、前記掩蓋部２２下端からのシート体Ｓの露出を極力抑えることが可能となり、この結果、前記シート体Ｓへのゴミや埃等の付着をより防ぐことができる。
また、切断刃３０は、本体部１０の前壁１１の下端側に刃先を下方に向けた状態で取付ける代わりに、本体部１０の底壁１２の前端側に刃先を前方へ向けた状態で取付けるようにしてもよい。更に、前記切断刃３０は、図１１に示すように、底壁１２に形成したスリット１２ａから刃先を突出させた状態で、前壁１１の下部内側に取付けるようにしてもよい。
更に、本考案に係る収納箱１においては、蓋部２０の天板２１と掩蓋部２２との間の角度を自由に変えられるようになっているが、例えば、前記天板２１と掩蓋部２２とを直角な状態に保つことができるように、当該天板２１と掩蓋部２２とに跨るように蓋側壁（図示せず）を設けるようにしてもよい。
【符号の説明】
【００２０】
１  収納箱
１０  本体部
１１  前壁
１２  底壁
１２ａ  スリット
１３  後壁
１４，１５  側壁
１６ａ，１６ｂ  貼着片
１７  開口部
１８  押圧片
１９  スリット
２０  蓋部
２１  天板
２２  掩蓋部
２２ａ  膨出片
２３  切離片
３０  切断刃
【図１】
0003233188.tif 000003
【図２】
0003233188.tif 000004
【図３】
0003233188.tif 000005
【図４】
0003233188.tif 000006
【図５】
0003233188.tif 000007
【図６】
0003233188.tif 000008
【図７】
0003233188.tif 000009
【図８】
0003233188.tif 000010
【図９】
0003233188.tif 000011
【図１０】
0003233188.tif 000012
【図１１】
0003233188.tif 000013